【手続補正書】
【提出日】令和2年9月25日(2020.9.25)
【手続補正１】
【補正対象書類名】特許請求の範囲
【補正対象項目名】全文
【補正方法】変更
【補正の内容】
【特許請求の範囲】
【請求項１】
映像データを符号化する方法であって、
符号化に適した第１のフォーマットで表現される２Ｄピクチャであり、第２のフォーマットでレンダリングするための前記２Ｄピクチャの第１のブロックに関するイントラ予測のための方向性モードであって、前記第２のフォーマットにレンダリングするためのレンダリング空間内の前記方向性モードにアクセスすることと、
前記第１のブロックに隣接する再構成ブロックにおける複数の参照サンプルを決定することと、
前記第１のブロックに関する予測されたブロックを形成するために、前記アクセスされた方向性モードおよび前記第１のフォーマットと前記第２のフォーマットとの間のマッピングに基づく非直曲線に沿って、前記複数の参照サンプルの各々を前記第１のブロック内のサンプル位置のセットへ伝搬することと、
前記方向性モードを符号化することと、
前記第１のブロックと前記予測されたブロックとの差を符号化することと、
を含む、方法。
【請求項２】
前記第１のフォーマットと前記第２のフォーマットとの間のマッピングは、ビットストリームでシグナリングされる、請求項１に記載の方法。
【請求項３】
前記第１のブロックにおける第１のサンプル位置を、前記２Ｄピクチャ内の前記第１のブロックに対応する前記レンダリング空間内の第２のブロックにおける第２のサンプル位置へマッピングすることと、
前記第２のサンプル位置および前記方向性モードに基づいて、前記レンダリング空間内の前記第２のブロックに隣接する第３の位置を決定することと、
前記２Ｄピクチャ内の前記第１のブロックに隣接する第４の位置へ前記第３の位置をマッピングすることと、
を更に含み、前記第４の位置におけるサンプルは、前記ブロックにおける前記第１のサンプル位置を予測するための参照サンプルとして用いられる、請求項１に記載の方法。
【請求項４】
前記第２のブロックに隣接する前記第３の位置を決定することは、前記レンダリング空間内の前記方向性モードに基づく、請求項３に記載の方法。
【請求項５】
前記方向性モードおよび前記２Ｄピクチャにおける前記第１のブロックの位置およびサイズに基づいて、予測される前記第１のブロック内のサンプル位置を対応する参照サンプル位置に関連付けるルックアップテーブルにアクセスすること
を更に含む、請求項１に記載の方法。
【請求項６】
第２のブロックに関するルックアップテーブルは、前記第２のブロックが前記第１のブロックよりも小さい場合、前記第１のブロックに関する前記ルックアップテーブルの左上部分である、請求項５に記載の方法。
【請求項７】
前記方向性モードおよび前記２Ｄピクチャにおける前記第１のブロックの位置およびサイズに基づいて、予測される前記第１のブロック内のサンプル位置を対応する参照サンプル位置に関連付ける関数の１または複数のパラメータにアクセスすることを更に含む、請求項１に記載の方法。
【請求項８】
映像データを符号化する装置であって、
符号化に適した第１のフォーマットで表現される２Ｄピクチャであり、第２のフォーマットでレンダリングするための前記２Ｄピクチャの第１のブロックに関するイントラ予測のための方向性モードであって、前記第２のフォーマットにレンダリングするためのレンダリング空間内の前記方向性モードにアクセスし、
前記第１のブロックに隣接する再構成ブロックにおける複数の参照サンプルを決定し、
前記第１のブロックに関する予測されたブロックを形成するために、前記アクセスされた方向性モードおよび前記第１のフォーマットと前記第２のフォーマットとの間のマッピングに基づく非直曲線に沿って、前記複数の参照サンプルの各々を前記第１のブロック内のサンプル位置のセットへ伝搬し、
前記方向性モードを符号化し、
前記第１のブロックと前記予測されたブロックとの差を符号化する
ように構成された１または複数のプロセッサを備える、装置。
【請求項９】
前記１または複数のプロセッサは更に、前記第１のブロックにおける第１のサンプル位置を、前記２Ｄピクチャ内の前記第１のブロックに対応するレンダリング空間内の第２のブロックにおける第２のサンプル位置へマッピングし、
前記第２のサンプル位置および前記方向性モードに基づいて、前記レンダリング空間内の前記第２のブロックに隣接する第３の位置を決定し、
前記２Ｄピクチャ内の前記第１のブロックに隣接する第４の位置へ前記第３の位置をマッピングするように構成され、前記第４の位置におけるサンプルは、前記ブロックにおける前記第１のサンプル位置を予測するための参照サンプルとして用いられる、請求項８に記載の装置。
【請求項１０】
前記第２のブロックに隣接する前記第３の位置を決定することは、前記レンダリング空間内の前記方向性モードに基づく、請求項９に記載の装置。
【請求項１１】
前記１または複数のプロセッサは更に、
前記方向性モードおよび前記２Ｄピクチャにおける前記第１のブロックの位置およびサイズに基づいて、予測される前記第１のブロック内のサンプル位置を対応する参照サンプル位置に関連付けるルックアップテーブルにアクセスするように構成される、請求項８に記載の装置。
【請求項１２】
映像データを復号する方法であって、
デコーダ出力のために第１のフォーマットで表現される２Ｄピクチャであって、復号されたバージョンを第２のフォーマットでレンダリングするための前記２Ｄピクチャの第１のブロックに関するイントラ予測のための方向性モードであって、前記第２のフォーマットにレンダリングするためのレンダリング空間内の前記方向性モードにアクセスすることと、
前記第１のブロックに隣接する復号されたブロックにおける複数の参照サンプルを決定することと、
前記第１のブロックに関する予測されたブロックを形成するために、前記アクセスされた方向性モードおよび前記第１のフォーマットと前記第２のフォーマットとの間のマッピングに基づく非直曲線に沿って、前記複数の参照サンプルの各々を前記第１のブロック内のサンプル位置のセットへ伝搬することと、
前記予測されたブロックを用いて前記第１のブロックを復号することと、
を含む、方法。
【請求項１３】
前記２Ｄピクチャの前記復号されたバージョンは、前記マッピングに対応する逆マッピングによって表示ピクチャを生成するために用いられる、請求項１２に記載の方法。
【請求項１４】
前記第１のブロックにおける第１のサンプル位置を、前記２Ｄピクチャ内の前記第１のブロックに対応する前記レンダリング空間内の第２のブロックにおける第２のサンプル位置へマッピングすることと、
前記第２のサンプル位置および前記方向性モードに基づいて、前記レンダリング空間内の前記第２のブロックに隣接する第３の位置を決定することと、
前記２Ｄピクチャ内の前記第１のブロックに隣接する第４の位置へ前記第３の位置をマッピングすることと、
を更に含み、前記第４の位置におけるサンプルは、前記ブロックにおける前記第１のサンプル位置を予測するための参照サンプルとして用いられる、請求項１２に記載の方法。
【請求項１５】
前記第２のブロックに隣接する前記第３の位置を決定することは、前記レンダリング空間内の前記方向性モードに基づく、請求項１４に記載の方法。
【請求項１６】
前記方向性モードおよび前記２Ｄピクチャにおける前記第１のブロックの位置およびサイズに基づいて、予測される前記第１のブロック内のサンプル位置を対応する参照サンプル位置に関連付けるルックアップテーブルにアクセスすること
を更に含む、請求項１２に記載の方法。
【請求項１７】
前記方向性モードおよび前記２Ｄピクチャにおける前記第１のブロックの位置およびサイズに基づいて、予測される前記第１のブロック内のサンプル位置を対応する参照サンプル位置に関連付ける関数の１または複数のパラメータにアクセスすることを更に含む、請求項１２に記載の方法。
【請求項１８】
映像データを復号する装置であって、
デコーダ出力のために第１のフォーマットで表現される２Ｄピクチャであって、復号されたバージョンを第２のフォーマットでレンダリングするための前記２Ｄピクチャの第１のブロックに関するイントラ予測のための方向性モードであって、前記第２のフォーマットにレンダリングするためのレンダリング空間内の前記方向性モードにアクセスし、
前記第１のブロックに隣接する復号されたブロックにおける複数の参照サンプルを決定し、
前記第１のブロックに関する予測されたブロックを形成するために、前記アクセスされた方向性モードおよび前記第１のフォーマットと前記第２のフォーマットとの間のマッピングに基づく非直曲線に沿って、前記複数の参照サンプルの各々を前記第１のブロック内のサンプル位置のセットへ伝搬し、
前記予測されたブロックを用いて前記第１のブロックを復号する
ように構成された１または複数のプロセッサを備える、装置。
【請求項１９】
前記１または複数のプロセッサは更に、
前記第１のブロックにおける第１のサンプル位置を、前記２Ｄピクチャ内の前記第１のブロックに対応するレンダリング空間内の第２のブロックにおける第２のサンプル位置へマッピングし、
前記第２のサンプル位置および前記方向性モードに基づいて、前記レンダリング空間内の前記第２のブロックに隣接する第３の位置を決定し、
前記２Ｄピクチャ内の前記第１のブロックに隣接する第４の位置へ前記第３の位置をマッピングする
ように構成され、前記第４の位置におけるサンプルは、前記ブロックにおける前記第１のサンプル位置を予測するための参照サンプルとして用いられる、請求項１８に記載の装置。
【請求項２０】
前記第２のブロックに隣接する前記第３の位置を決定することは、前記レンダリング空間内の前記方向性モードに基づく、請求項１９に記載の装置。
【手続補正２】
【補正対象書類名】明細書
【補正対象項目名】０１４９
【補正方法】変更
【補正の内容】
【０１４９】
［0176］  当業者には明らかであるように、実装は、たとえば格納または伝送され得る情報を搬送するためにフォーマット化された様々な信号を生成してよい。情報はたとえば、方法を実行するための命令、または説明された実装の１つによって生成されたデータを含んでよい。たとえば信号は、説明された実施形態のビットストリームを搬送するためにフォーマット化され得る。そのような信号はたとえば、（たとえばスペクトルの無線周波数部分を用いて）電磁波として、またはベースバンド信号としてフォーマット化され得る。フォーマット化は、たとえばデータストリームを符号化し、符号化されたデータストリームによって搬送波を変調することを含んでよい。信号が搬送する情報はたとえば、アナログまたはデジタル情報であってよい。信号は、既知であるように、様々な有線または無線リンクを介して伝送され得る。信号は、プロセッサ可読媒体に格納され得る。
［付記１］
映像データを符号化する方法であって、
符号化に適した第１のフォーマットで表現され、第２のフォーマットでレンダリングするためのピクチャの第１のブロックに関するイントラ予測のための方向性モードにアクセスすること（１００５）と、
前記第１のブロックに隣接する再構成ブロックにおける複数の参照サンプルを決定すること（１０５０、１２３０）と、
前記第１のブロックに関する予測されたブロックを形成するために、前記アクセスされた方向性モードおよび前記第１のフォーマットと前記第２のフォーマットとの間のマッピングに基づく非直曲線に沿って、前記複数の参照サンプルの各々を前記第１のブロック内のサンプル位置のセットへ伝搬すること（１２６０）と、
前記方向性モードを符号化することと、
前記第１のブロックと前記予測されたブロックとの差を符号化することと、
を備える、方法。
［付記２］
映像データを符号化する装置（１７００）であって、
少なくとも１つのメモリと、
符号化に適した第１のフォーマットで表現され、第２のフォーマットでレンダリングするためのピクチャの第１のブロックに関するイントラ予測のための方向性モードにアクセスし、
前記第１のブロックに隣接する再構成ブロックにおける複数の参照サンプルを決定し、
前記第１のブロックに関する予測されたブロックを形成するために、前記アクセスされた方向性モードおよび前記第１のフォーマットと前記第２のフォーマットとの間のマッピングに基づく非直曲線に沿って、前記複数の参照サンプルの各々を前記第１のブロック内のサンプル位置のセットへ伝搬し、
前記方向性モードを符号化し、
前記第１のブロックと前記予測されたブロックとの差を符号化する
ように構成された１または複数のプロセッサと、
を備える、装置。
［付記３］
前記第１のフォーマットと前記第２のフォーマットとの間のマッピングは、ビットストリームでシグナリングされる、付記１に記載の方法または付記２に記載の装置。
［付記４］
映像データを復号する方法であって、
デコーダ出力のために第１のフォーマットで表現されたピクチャであって、復号されたバージョンを第２のフォーマットでレンダリングするためのピクチャの第１のブロックに関するイントラ予測のための方向性モデルにアクセスすること（１００５）と、
前記第１のブロックに隣接する復号されたブロックにおける複数の参照サンプルを決定すること（１０５０）と、
前記第１のブロックに関する予測されたブロックを形成するために、前記アクセスされた方向性モードおよび前記第１のフォーマットと前記第２のフォーマットとの間のマッピングに基づく非直曲線に沿って、前記複数の参照サンプルの各々を前記第１のブロック内のサンプル位置のセットへ伝搬することと、
前記予測されたブロックを用いて前記第１のブロックを復号することと、
を備える、方法。
［付記５］
映像データを復号する装置（１７００）であって、
少なくとも１つのメモリと、
デコーダ出力のために第１のフォーマットで表現されたピクチャであって、復号されたバージョンを第２のフォーマットでレンダリングするためのピクチャの第１のブロックに関するイントラ予測のための方向性モデルにアクセスし、
前記第１のブロックに隣接する復号されたブロックにおける複数の参照サンプルを決定し、
前記第１のブロックに関する予測されたブロックを形成するために、前記アクセスされた方向性モードおよび前記第１のフォーマットと前記第２のフォーマットとの間のマッピングに基づく非直曲線に沿って、前記複数の参照サンプルの各々を前記第１のブロック内のサンプル位置のセットへ伝搬し、
前記予測されたブロックを用いて前記第１のブロックを復号するように構成された１または複数のプロセッサと、
を備える、装置。
［付記６］
前記ピクチャの前記復号されたバージョンは、前記マッピングに対応する逆マッピングによって表示ピクチャを生成するために用いられる、付記４に記載の方法または付記５に記載の装置。
［付記７］
前記第１のブロックにおける第１のサンプル位置を、前記ピクチャ内の前記第１のブロックに対応するレンダリング空間内の第２のブロックにおける第２のサンプル位置へマッピングすること（９１０、９２０）と、
前記第２のサンプル位置および前記方向性モードに基づいて、前記レンダリング空間内の前記第２のブロックに隣接する第３の位置を決定することと、
前記ピクチャ内の前記第１のブロックに隣接する第４の位置へ前記第３の位置をマッピングすること（９３０、９４０）と、
を更に備え、またはそのために更に構成され、
前記第４の位置におけるサンプルは、前記ブロックにおける前記第１のサンプル位置を予測するための参照サンプルとして用いられる、付記１、３、４、および６のいずれか１つに記載の方法、または付記２、５、および６のいずれか１つに記載の装置。
［付記８］
前記方向性モードに対応する方向は、前記レンダリング空間において他の方向に変換され、前記第２のブロックに隣接する第３の位置を決定することは、前記他の方向に基づく、付記７に記載の方法または付記７に記載の装置。
［付記９］
前記方向性モードおよび前記ピクチャにおける前記第１のブロックの位置およびサイズに基づいて、予測される前記第１のブロック内のサンプル位置を対応する参照サンプル位置に関連付けるルックアップテーブルにアクセスすること
を更に備える、付記１、３、４、および６〜８のいずれか１つに記載の方法、またはそのために更に構成される、付記２および５〜８のいずれか１つに記載の装置。
［付記１０］
第２のブロックに関するルックアップテーブルは、前記第２のブロックが前記第１のブロックよりも小さい場合、前記第１のブロックに関する前記ルックアップテーブルの左上部分である、付記９に記載の方法または付記９に記載の装置。
［付記１１］
前記方向性モードおよび前記ピクチャにおける前記第１のブロックの位置およびサイズに基づいて、予測される前記第１のブロック内のサンプル位置を対応する参照サンプル位置に関連付ける関数の１または複数のパラメータにアクセスすることを更に備える、付記１、３、４、および６〜１０のいずれか１つに記載の方法、またはそのために更に構成される、付記２および５〜１０のいずれか１つに記載の装置。
［付記１２］
符号化された映像を表現するビットストリームであって、
符号化に適した第１のフォーマットで表現され、第２のフォーマットでレンダリングするためのピクチャの第１のブロックに関して符号化されたイントラ予測のための方向性モードと、
前記ピクチャの前記第１のブロックと前記第１のブロックに関する予測されたブロックとの間の差の符号化と、
を備え、
前記予測されたブロックは、非直曲線に沿って、複数の参照サンプルの各々を前記第１のブロック内のサンプル位置のセットへ伝搬することによって形成され、
前記非直曲線は、前記アクセスされた方向性モードおよび前記第１のフォーマットと前記第２のフォーマットとの間のマッピングに基づき、
前記複数の参照サンプルは、前記第１のブロックに隣接する再構成ブロック内にある、ビットストリーム。
［付記１３］
コンピュータプログラムが１または複数のプロセッサによって実行されると、付記１、３、４、および６〜１１のいずれか１つに記載の方法を実行するためのソフトウェアコード命令を備える、コンピュータプログラム製品。
［付記１４］
コンピュータによって実行されると、付記１、３、４、および６〜１１のいずれか１つに記載の方法を前記コンピュータに実行させる命令を備える、コンピュータ可読媒体。